(57)【要約】【課題】  図柄の自由度を増すとともに、偽造を防止し、印紙の管理を容易にした印紙、印紙作成装置及び印紙情報書込装置を提供する。【解決手段】  切手シート１０は、複数の郵便切手１２を含んでおり、郵便切手１２は台紙１４から１枚ずつ分離可能なシールになっている。郵便切手１２の表面には、郵便切手であることを示す文字「郵」とその額面「５０（円）」が端部に印字されており、それ以外の郵便切手１２の表面の大部分は白色無地の画像印刷領域１２Ａとなっており、作成者は、この画像印刷領域１２Ａに画像を印刷することができる。郵便切手１２には無線タグ１６が埋め込まれており、郵便切手１２の真贋を判別するための情報や、郵便切手１２が未使用（使用可能）か使用済み（使用不可能）かを示す使用情報のほか、作成者の所望の情報を書き込まれる。【選択図】      図１
2007286265.tif 000002
【特許請求の範囲】
【請求項１】
所望の画像を印刷可能な画像印刷領域を含む、１枚の印紙を作成するための印紙作成用紙と、
前記印紙作成用紙に埋め込まれ、外部機器との間で無線による情報の送受信を行い、所定の情報が書き込まれる無線タグと、
を備えることを特徴とする印紙。
【請求項２】
前記画像印刷領域は、前記印紙作成用紙の略全面を占めることを特徴とする請求項１記載の印紙。
【請求項３】
前記無線タグは、使用済みであることを示す使用情報が書き込まれると書き込み不可になることを特徴とする請求項１又は２記載の印紙。
【請求項４】
前記無線タグは、所定の回数のみ情報の書き込みが可能であることを特徴とする請求項１から３のいずれか１項記載の印紙。
【請求項５】
前記無線タグは、前記印紙の真贋を判別するための情報、前記印紙の額面情報、前記印紙が未使用か使用済みかを示す使用情報、前記印紙の作成者の識別情報、前記印紙に印刷された画像の管理情報、前記印紙の作成日時、作成場所、前記画像の撮影日時、撮影場所、前記画像又は前記作成者が設定した文字情報のうち少なくとも１つの情報を記憶することを特徴とする請求項１から４のいずれか１項記載の印紙。
【請求項６】
前記印紙作成用紙には、無線タグを備えることを示す表示が印刷されることを特徴とする請求項１から５のいずれか１項記載の印紙。
【請求項７】
前記無線タグは、前記外部機器から情報を受信するためのアンテナを備え、
前記アンテナは、前記印紙作成用紙の外周近傍に前記印紙作成用紙を囲むように配設されることを特徴とする請求項１から６のいずれか１項記載の印紙。
【請求項８】
画像を取得する画像取得手段と、
前記取得した画像を編集し、レイアウトを調整する画像編集手段と、
前記編集された画像を無線タグを備える印紙作成用紙に印刷する印刷手段と、
前記無線タグに書き込むための情報を取得する情報取得手段と、
前記取得した情報を前記無線タグに書き込む情報書き込み手段と、
を備えることを特徴とする印紙作成装置。
【請求項９】
前記画像処理手段は、
前記画像と合成され、前記画像と合成するためのテンプレートを記憶するテンプレート記憶手段と、
前記画像とテンプレートを合成する画像合成手段と、
を備えることを特徴とする請求項８記載の印紙作成装置。
【請求項１０】
前記情報書き込み手段は、前記印紙の真贋を判別するための情報、前記印紙が未使用か使用済みかを示す使用情報、前記印紙の作成者の識別情報、前記印紙に印刷された画像の管理情報、前記印紙の作成日時、作成場所、前記画像の撮影日時、撮影場所、前記画像又は前記作成者が設定した文字情報のうち少なくとも１つの情報を前記無線タグに書き込むことを特徴とする請求項８又は９記載の印紙作成装置。
【請求項１１】
前記印刷手段は、前記画像とともに前記印紙の額面を印刷し、
前記情報書き込み手段は、前記印紙の額面情報を前記無線タグに書き込むことを特徴とする請求項８又は９記載の印紙作成装置。
【請求項１２】
前記印紙作成用紙に印刷された画像及び前記無線タグに書き込まれた情報に関する作成履歴情報を、データを記憶する記憶手段を備える作成履歴カードに書き込む作成履歴カード作成手段と、
前記作成履歴カードから作成履歴情報を取得する作成履歴取得手段を更に備え、
前記画像取得手段は、前記作成履歴情報に基づいて前記画像を取得し、
前記情報取得手段は、前記作成履歴情報に基づいて前記無線タグに書き込む情報を取得することを特徴とする請求項８から１１のいずれか１項記載の印紙作成装置。
【請求項１３】
前記作成履歴カード作成手段は、前記作成履歴カードの表面に前記印紙の作成代金の領収証を印刷することを特徴とする請求項１２記載の印紙作成装置。
【請求項１４】
前記作成履歴カード作成手段は、前記作成履歴カードの表面に前記画像を印刷することを特徴とする請求項１２又は１３記載の印紙作成装置。
【請求項１５】
無線タグを備える印紙が使用された場合に、前記印紙の表面に前記印紙が使用済みであることを示す消印を押印する消印押印手段と、
前記無線タグに前記印紙が使用済みであることを示す情報を書き込む使用済み情報書き込み手段と、
を備えることを特徴とする印紙情報書込装置。
【請求項１６】
前記使用済み情報書き込み手段は、前記印紙が使用された場所情報又は日時情報のうち少なくとも一方を書き込むことを特徴とする請求項１５記載の印紙情報書込装置。
【発明の詳細な説明】
【技術分野】
【０００１】
本発明は印紙、印紙作成装置及び印紙情報書込装置に係り、特に郵便切手や収入印紙等の印紙、印紙作成装置及び印紙情報書込装置に関する。
【背景技術】
【０００２】
従来、個々の切手に固有のＩＤ番号を記憶しておき、外部からの動作に必要な電力を受信して動作し、ＩＤ番号の問い合わせの信号に応答するＲＦＩＤチップ（無線タグ）を個々の切手に搭載し、切手の販売／在庫情報の管理を容易にした切手が提案されている（特許文献１）。また、特許文献２には、ＲＦＩＤタグ付きカードを切り取り可能に装着されたＲＦＩＤタグ付き圧着はがきについて開示されている。
【特許文献１】特開２００１−３４４４６４号公報
【特許文献２】特開２００３−１４１４９２号公報
【発明の開示】
【発明が解決しようとする課題】
【０００３】
現在、郵便切手等の印紙は、額面等に応じて表面の図柄が予め決められており、例えば、郵便物の外観等に合わせた郵便切手を選択することは困難であった。しかしながら、図柄を自由に決められるようにすると、印紙の偽造が容易になるという問題が生じる。また、郵便局等の印紙を取り扱う機関において、印紙の管理が困難になるという問題があった。
【０００４】
本発明はこのような事情に鑑みてなされたもので、図柄の自由度を増すとともに、偽造を防止し、印紙の管理を容易にした印紙、印紙作成装置及び印紙情報書込装置を提供することを目的とする。
【課題を解決するための手段】
【０００５】
上記目的を達成するために請求項１に係る印紙は、所望の画像を印刷可能な画像印刷領域を含む、１枚の印紙を作成するための印紙作成用紙と、前記印紙作成用紙に埋め込まれ、外部機器との間で無線による情報の送受信を行い、所定の情報が書き込まれる無線タグを備えることを特徴とする。
【０００６】
請求項１に係る印紙によれば、作成者が印紙の表面に印刷される図柄を自由に選択できる。また、無線タグに所定の情報を書き込むことにより、偽造を防止するとともに、印紙の管理を容易に行うことができる。
【０００７】
請求項２に係る印紙は、請求項１において、前記画像印刷領域は、前記印紙作成用紙の略全面を占めることを特徴とする。
【０００８】
請求項２に係る印紙によれば、作成者が選択した図柄を印紙の略全面に印刷できる。
【０００９】
請求項３に係る印紙は、請求項１又は２において、前記無線タグが、使用済みであることを示す使用情報が書き込まれると書き込み不可になることを特徴とする。
【００１０】
請求項３に係る印紙によれば、無線タグ中の使用情報を読み取ることにより、印紙が使用済みであるかどうかを確認できるとともに、使用情報の改竄を防止できる。
【００１１】
請求項４に係る印紙は、請求項１から３において、前記無線タグが、所定の回数のみ情報の書き込みが可能であることを特徴とする。
【００１２】
請求項４に係る印紙によれば、無線タグへの書き込み回数を制限することにより、無線タグに書き込まれた情報の改竄を防止できる。
【００１３】
請求項５に係る印紙は、請求項１から４において、前記無線タグが、前記印紙の真贋を判別するための情報、前記印紙の額面情報、前記印紙が未使用か使用済みかを示す使用情報、前記印紙の作成者の識別情報、前記印紙に印刷された画像の管理情報、前記印紙の作成日時、作成場所、前記画像の撮影日時、撮影場所、前記画像又は前記作成者が設定した文字情報のうち少なくとも１つの情報を記憶することを特徴とする。
【００１４】
請求項６に係る印紙は、請求項１から５において、前記印紙作成用紙には、無線タグを備えることを示す表示が印刷されることを特徴とする。
【００１５】
請求項６に係る印紙によれば、印紙の外観により無線タグを含んでいるかどうか視覚的に確認できる。
【００１６】
請求項７に係るは、請求項１から６において、前記無線タグが、前記外部機器から情報を受信するためのアンテナを備え、前記アンテナが、前記印紙作成用紙の外周近傍に前記印紙作成用紙を囲むように配設されることを特徴とする。
【００１７】
請求項７に係る印紙によれば、無線タグのアンテナを利用して印紙を補強できる。
【００１８】
請求項８に係る印紙作成装置は、画像を取得する画像取得手段と、前記取得した画像を編集し、レイアウトを調整する画像編集手段と、前記編集された画像を無線タグを備える印紙作成用紙に印刷する印刷手段と、前記無線タグに書き込むための情報を取得する情報取得手段と、前記取得した情報を前記無線タグに書き込む情報書き込み手段を備えることを特徴とする。
【００１９】
請求項８に係る印紙作成装置によれば、作成者が印紙の表面に印刷される図柄を自由に選択できる。また、無線タグに所定の情報を書き込むことにより、偽造を防止するとともに、印紙の管理を容易に行うことができる。
【００２０】
請求項９に係る印紙作成装置は、請求項８において、前記画像処理手段が、前記画像と合成され、前記画像と合成するためのテンプレートを記憶するテンプレート記憶手段と、前記画像とテンプレートを合成する画像合成手段を備えることを特徴とする。
【００２１】
請求項９に係る印紙作成装置によれば、カメラやメモリカード等から入力された画像を所望のテンプレートと合成することができる。
【００２２】
請求項１０に係る印紙作成装置は、請求項８又は９において、前記情報書き込み手段が、前記印紙の真贋を判別するための情報、前記印紙が未使用か使用済みかを示す使用情報、前記印紙の作成者の識別情報、前記印紙に印刷された画像の管理情報、前記印紙の作成日時、作成場所、前記画像の撮影日時、撮影場所、前記画像又は前記作成者が設定した文字情報のうち少なくとも１つの情報を前記無線タグに書き込むことを特徴とする。
【００２３】
請求項１１に係る印紙作成装置は、請求項８又は９において、前記印刷手段が、前記画像とともに前記印紙の額面を印刷し、前記情報書き込み手段が、前記印紙の額面情報を前記無線タグに書き込むことを特徴とする。
【００２４】
請求項１０又は１１に係る印紙作成装置によれば、無線タグに所定の情報を書き込むことにより、偽造を防止するとともに、印紙の管理を容易に行うことができる。
【００２５】
請求項１２に係る印紙作成装置は、請求項８から１１において、前記印紙作成用紙に印刷された画像及び前記無線タグに書き込まれた情報に関する作成履歴情報を、データを記憶する記憶手段を備える作成履歴カードに書き込む作成履歴カード作成手段と、前記作成履歴カードから作成履歴情報を取得する作成履歴取得手段を更に備え、前記画像取得手段は、前記作成履歴情報に基づいて前記画像を取得し、前記情報取得手段は、前記作成履歴情報に基づいて前記無線タグに書き込む情報を取得することを特徴とする。
【００２６】
請求項１２に係る印紙作成装置によれば、作成者が印紙の追加作成（焼き増し）を容易に行うことができる。
【００２７】
請求項１３に係る印紙作成装置は、請求項１２において、前記作成履歴カード作成手段が、前記作成履歴カードの表面に前記印紙の作成代金の領収証を印刷することを特徴とする。
【００２８】
請求項１３に係る印紙作成装置によれば、印紙を追加作成する時等に印紙の作成代金を確認できる。
【００２９】
請求項１４に係る印紙作成装置は、請求項１２又は１３において、前記作成履歴カード作成手段が、前記作成履歴カードの表面に前記画像を印刷することを特徴とする。
【００３０】
請求項１４に係る印紙作成装置によれば、作成履歴カードにより印紙に印刷した画像を確認できる。
【００３１】
請求項１５に係る印紙情報書込装置は、無線タグを備える印紙が使用された場合に、前記印紙の表面に前記印紙が使用済みであることを示す消印を押印する消印押印手段と、前記無線タグに前記印紙が使用済みであることを示す情報を書き込む使用済み情報書き込み手段を備えることを特徴とする。
【００３２】
請求項１５に係る印紙情報書込装置によれば、無線タグ中の使用情報を読み取ることにより、印紙が使用済みであるかどうかを確認できる。
【００３３】
請求項１６に係る印紙情報書込装置は、請求項１５において、前記使用済み情報書き込み手段が、前記印紙が使用された場所情報又は日時情報のうち少なくとも一方を書き込むことを特徴とする。
【００３４】
請求項１６に係る印紙情報書込装置によれば、無線タグ中の使用情報を読み取ることにより、印紙が使用された場所や日時を確認できる。
【発明の効果】
【００３５】
本発明によれば、作成者が印紙の表面に印刷される図柄を自由に選択でき、オリジナルの図柄の印紙が作成できる。また、無線タグに所定の情報を書き込むことにより、偽造を防止するとともに、印紙の管理を容易に行うことができる。
【発明を実施するための最良の形態】
【００３６】
以下、添付図面に従って本発明に係る印紙、印紙作成装置及び印紙情報書込装置の好ましい実施の形態について説明する。なお、以下の説明では、郵便切手及びその作成装置について説明するが、本発明は、例えば、特許印紙等の収入印紙一般や有価証券（手形、小切手、株券、債券、貨物引換証、商品券等）、金券、ポイントカード、コンサートチケット及びこれらの作成装置にも適用可能である。
【００３７】
［印紙（郵便切手）の構成］
図１は、本発明の一実施形態に係る印紙（郵便切手）の外観を示す平面図である。図１に示すように、切手シート１０は、複数の郵便切手１２を含んでおり、郵便切手１２は台紙１４から１枚ずつ分離可能なシールになっている。郵便切手１２の表面には、郵便切手であることを示す文字「郵」とその額面「５０（円）」が端部に印字されており、それ以外の郵便切手１２の表面の大部分は白色無地の画像印刷領域１２Ａとなっている。図２に示すように、作成者は、この画像印刷領域１２Ａに画像を印刷することができる。なお、１枚の切手シート１０上に複数の額面の郵便切手１２を作成することもできる。また、郵便切手１２の全面を白色無地の画像印刷領域１２Ａとして、印刷される画像に合わせて作成者が文字「郵」及び額面の配置やデザイン、フォント等を画像に含めて印刷できるようにしてもよい。
【００３８】
図１に示すように、郵便切手１２には無線タグ１６が埋め込まれている。図３は、無線タグ１６の電気的構成を示すブロック図である。図３に示すように、無線タグ１６は、アンテナ用コイルＬ１０、共振コンデンサＣ１０、整流・平滑回路２０、変復調回路２２、ＣＰＵ２４、ＲＯＭ２６及びＥＥＰＲＯＭ２８を備える。なお、ＥＥＰＲＯＭ２８に代えてフラッシュメモリを設けてもよい。
【００３９】
アンテナ用コイルＬ１０は、共振コンデンサＣ１０と並列に接続されて共振回路を構成し、無線タグリーダ／ライタ部（図５の符号７２）から送信される所定の周波数の電力用電波信号を受信して整流・平滑回路２０に供給する。
【００４０】
整流・平滑回路２０は、動作用電源回路を構成するもので、上記共振回路から送信されてきた電力用電波信号を整流し、平滑化して一定電圧の直流電力（動作用電力）にしてＣＰＵ２４等に供給する。
【００４１】
無線リーダ／ライタ部７２から送信されてくる信号は、電力用電波信号に重畳して送信され、その信号は変復調回路２２により復調されてＣＰＵ２４に与えられる。
【００４２】
ＣＰＵ２４は、ＲＯＭ２６に記憶された動作プログラムに従って動作し、変復調回路２２から入力される信号に応じた処理を実行し、受信したデータをＥＥＰＲＯＭ２８に書き込んだり、ＥＥＰＲＯＭ２８からデータを読み出して変復調回路２２により変調し、アンテナ用コイルＬ１０から電波信号として送信したりする。
【００４３】
整流・平滑回路２０、変復調回路２２、ＣＰＵ２４、ＲＯＭ２６、ＥＥＰＲＯＭ２８はＩＣチップを構成し、アンテナ用コイルＬ１０等とともにフィルムに実装されて無線タグ１６となり、郵便切手１２に埋め込まれる。
【００４４】
なお、アンテナ用コイルＬ１０は、図４に示すように、郵便切手１２の端部付近（例えば、端部からの距離ｄ１が約１．０〜１．５ｍｍの位置）を取り囲むように配置されており、郵便切手１２の端部を補強している。
【００４５】
［印紙（郵便切手）作成装置の構成］
図５は、本発明の一実施形態に係る印紙作成装置の主要構成を示すブロック図である。図５に示すように、印紙作成装置５０は、例えば、アミューズメントシールプリント機であり、制御装置５２、操作部５４、カメラ５６、カメラ移動部５８、照明装置６０、記憶装置６２、メモリスロット６４、メモリ制御部６６、画像表示部６８、プリンタ７０、無線タグリーダ／ライタ部７２及びコイン投入部７４を備える。
【００４６】
制御装置５２は、印紙作成装置５０の各部に接続されており、操作部５４等からの操作入力に基づいて印紙作成装置５０の動作を制御する統括制御部である。操作部５４は、キーボード等の文字入力手段や、マウスやタッチパネル等のポインティングデバイス、カメラ５６により撮影を実行するためのレリーズスイッチ等を含んでおり、ユーザからの操作入力を受け付ける操作部材である。
【００４７】
カメラ５６は、被写体（郵便切手１２を作成する作成者等）を撮影するための装置である。カメラ移動部５８は、操作部５４からの指示に基づいて制御装置５２から出力される駆動信号によりカメラ５６を移動させて、位置、アングルを調整する。照明装置６０は、被写体を照明する照明やストロボである。制御装置５２は、図示せぬセンサ等により検出される被写体の周囲の明るさに応じて、照明装置６０に照明制御信号を出力して制御する。
【００４８】
記憶装置６２は、制御装置５２が処理するプログラム及び制御に必要な各種データ等が格納されるＲＯＭや、制御装置５２が各種の演算処理等を行う作業用領域及び画像処理領域となるＲＡＭ等を有している。カメラ５６から出力された画像データは、記憶装置６２のＲＡＭに一時記憶される。また、記憶装置６２には、画像を編集するために使用する各種のプログラムやテンプレート等が記憶されている。
【００４９】
制御装置５２は、メモリスロット６４に装着されたメモリカード６４Ａから画像データを読み出す。ここで、メモリカード６４Ａは、例えば、半導体メモリ等であり、メモリカード６４Ａへのデータの入出力はメモリ制御部６６によって制御される。なお、カメラ５６によって撮影された画像は、メモリカード６４Ａに所定のファイル形式で記憶可能である。
【００５０】
制御装置５２は、カメラ５６から出力された画像及びメモリカード６４Ａから読み出された画像データに基づいて、表示用の画像データ（表示データ）を作成し、画像表示部６８に表示させる。画像表示部６８は、例えば、液晶モニタ（ＬＣＤ）であり、画像や各種の操作メニューの表示を行う。また、画像表示部６８の表面にはタッチパネルが設けられており、作成者に画像データの編集のためのＵＩを提供する。
【００５１】
カメラ５６から出力された画像及びメモリカード６４Ａから読み出された画像は、操作部５４からの操作入力に基づいて、テンプレートとの合成や、文字や図形等の書き込み、色調の変更等の編集が行われて記憶装置６２に一時記憶される。また、郵便切手１２のサイズ、額面及び枚数が指定されて、上記編集された画像のレイアウト（印刷方向（縦横））等が調整される。なお、画像印刷領域１２Ａに印刷される画像に合わせて、作成者が文字「郵」及び額面のレイアウトやデザイン、フォント等を指示できるようにしてもよい。そして、上記編集及びレイアウトの調整結果に基づいて表示データが作成されて画像表示部６８に表示される。
【００５２】
制御装置５２は、画像表示部６８に表示された画像の印刷を実行する旨の信号を操作部５４から受け付けると、印刷用の画像データ（印刷データ）を作成してプリンタ７０に出力する。プリンタ７０の用紙トレイには、無線タグ１６が埋め込まれた切手シート用紙１０´が装填されており、上記印刷データに基づいて編集された画像を切手シート用紙１０´に印刷する。また、切手シート用紙１０´は、郵便切手１２を１枚ずつ分離可能なように、図示せぬカッターにより切れ目が入れられる。
【００５３】
無線タグリーダ／ライタ部７２は、切手シート用紙１０´の印刷時に無線タグ１６に所定の情報を書き込む。ここで、無線タグ１６に書き込まれる情報は、例えば、郵便切手１２の真贋を判別するための情報や、郵便切手１２の額面情報、郵便切手１２が未使用（使用可能）か使用済み（使用不可能）かを示す使用情報、作成者の識別コード（ＩＤ、電話番号等）、画像の管理コード（画像ファイルのファイル名等）である。
【００５４】
また、無線タグ１６のＥＥＰＲＯＭ２８に、作成者が自由に情報を書き込むことができる領域を設けてもよい。作成者が書き込むことができる情報は、例えば、郵便切手１２の作成日時や作成場所、画像の撮影日時、撮影場所、作成者のコメント等の文字情報又は画像データ（表示用又は印刷用）等である。また、無線タグ１６に音声情報を記憶しておき、無線タグリーダを備えた携帯電話機等により音声を再生できるようにしてもよい。
【００５５】
なお、上記の情報は、無線タグ１６にいったん書き込まれると、更新不可としてもよい。
【００５６】
コイン投入部７４は、作成者によってお金が投入されると、投入されたお金の種類に応じて起動信号を出力する。制御装置５２は、この起動信号に基づいて投入額を算出し、投入額に基づいて作成可能な郵便切手１２の種類（額面）及び額面ごとの枚数を算出して画像表示部６８に表示させる。
【００５７】
制御装置５２は、操作部５４から作成する郵便切手１２の額面及び枚数の入力を受け付けると、作成に必要な作成代金を算出する。そして、制御装置５２は、投入額が作成代金以上の場合には、プリンタ７０及び無線タグリーダ／ライタ部７２に郵便切手１２の作成を実行させる。一方、制御装置５２は、投入額が作成代金より少ない場合には、警告メッセージを画像表示部６８に表示させる。
【００５８】
なお、印紙作成装置５０は、ネットワークや外部機器に接続して画像を取得することもできる。図６は、印紙作成装置５０をネットワークに接続した状態を示すブロック図である。図６に示すように、印紙作成装置５０は、サーバ８０を介してネットワークに接続される。作成者は、作成者側端末８４（例えば、携帯電話機やパーソナルコンピュータ（ＰＣ））に格納された画像を基地局８６、電話会社側サーバ８８を介してネットワークに接続し、サーバ８０のメモリ８２にアップロードする。メモリ８２には、作成者ごとに専用の記憶領域が設けられる。作成者は、印紙作成装置５０からサーバ８０にアクセスして、専用のアクセスキーを入力することにより、アップロードした画像をダウンロードして郵便切手１２に印刷することができる。また、ネットワーク上のウェブページやウェブ素材を提供するサイトから画像を取得するようにしてもよい。
【００５９】
［印紙（郵便切手）の作成工程］
次に、印紙作成装置５０により印紙を作成する処理の流れについて、図７のフローチャートを参照して説明する。まず、画像を取得するための手段（例えば、カメラ５６、メモリカード６４Ａ又はサーバ８０）が選択され（ステップＳ１０）、画像が取得されて記憶装置６２に一時記憶される（ステップＳ１２）。
【００６０】
次に、操作部５４からの操作入力を受け付けられて、作成する郵便切手１２の種類（額面、枚数、サイズ等）が選択される（ステップＳ１４）。また、上記ステップＳ１２において取得した画像が編集されて、郵便切手１２上の画像のレイアウトが調整される（ステップＳ１６）。そして、上記レイアウトに基づいて表示データが作成されて画像表示部６８に表示される（ステップＳ１８）。ここで、表示された画像を際編集する旨の信号を操作部５４から受け付けると（ステップＳ２０のＮｏ）、ステップＳ１６に戻り、画像の編集、レイアウトの再調整が行われる。表示された画像の印刷を実行する旨の信号を操作部５４から受け付けると（ステップＳ２０のＹｅｓ）、印刷データが作成されてプリンタ７０に出力される。そして、投入額が作成代金以上であれば、切手シート用紙１０´に画像がプリントされてカットされるとともに、無線タグ１６に所定の情報が書き込まれて、切手シート１０が作成される（ステップＳ２２）。
【００６１】
本実施形態によれば、作成者が表面に印刷される図柄を自由に選択できる。また、本実施形態によれば、無線タグ１６に所定の情報を書き込むことにより、偽造を防止するとともに、印紙の管理を容易に行うことができる。
【００６２】
なお、本実施形態では、図８（ａ）に示すように、郵便切手１２の外枠を特定の色（例えば、黒色）にしたり、図８（ｂ）に示すように、額面をリバース表示にして、郵便切手１２の外観により、無線タグ１６を備える郵便切手１２であるかどうかを判別可能にしてもよい。なお、無線タグ１６を備えることを示す郵便切手１２の外観の種類は、図８に示したものに限定されるものではない。
【００６３】
［作成履歴カードの実施の形態］
印紙作成装置５０は、郵便切手１２を作成する際に、作成履歴が記録された作成履歴カードを作成するようにすることができる。図９は、作成履歴カードを示す平面図である。図９に示すように、作成履歴カード９０は、ミシン目に沿って分離可能な第１の台紙９２と第２の台紙９４から構成される。第１の台紙９２には郵便切手１２の作成代金の領収証が、第２の台紙には郵便切手１２に印刷された画像が、プリンタ７０によりそれぞれ印刷される。第２の台紙９４には無線タグ９６が埋め込まれている。無線タグ９６には、無線タグリーダ／ライタ部７２により、郵便切手１２に印刷された画像の印刷データ及び無線タグ１６に書き込まれた情報が書き込まれた後、書き込み禁止のフラグが書き込まれ、Read Onlyになる。作成者は、この第２の台紙９４の無線タグ９６を無線タグリーダ／ライタ部７２に読み込ませることにより、作成者は、郵便切手１２の追加作成（焼き増し）を容易に行うことができる。
【００６４】
なお、無線タグ９６には固有の識別子のみ記憶しておき、印紙作成装置５０の記憶装置６２に、画像の印刷データ及び無線タグ１６に書き込まれた情報を含む作成履歴情報と、作成履歴カード９０の識別子を関連付けて記憶しておくようにしてもよい。この場合、印紙作成装置５０は、作成履歴カード９０から識別子を読み取って記憶装置６２から画像等を取得できる。従って、作成履歴カード９０に大容量の記憶手段を要しないため、作成履歴カード９０は、識別子を格納したバーコード、２次元コード等が印字されたものであってもよい。
【００６５】
また、作成履歴カード９０は、フレキシブルディスクやメモリカード等の記憶媒体に画像の印刷データ等を記憶して、その表面に領収証及び画像を印刷することにより作成してもよい。
【００６６】
［印紙情報書込装置の構成］
次に、印紙情報書込装置の実施の形態について、図１０から図１２を参照して説明する。図１０は、印紙情報書込装置の主要構成を示すブロック図である。図１０に示すように、印紙情報書込装置１００は、ＣＰＵ１０２、電源電池１０４、消印押印部１０６及び無線タグライタ部１０８を備える。ＣＰＵ１０２は、印紙情報書込装置１００の各部を制御する。電源電池１０４は、印紙情報書込装置１００の各部に動作電源を供給する。消印押印部１０６は、図１１に示すように、郵便切手１２に消印を押印するブロックである。無線タグライタ部１０８は、郵便切手１２の無線タグ１６に使用済み（使用不可能）であることを示す使用情報を書き込んで、上記無線タグ１６への情報の書き込みを不可にする。
【００６７】
また、図１０に示すように、印紙情報書込装置１００には、消印押印部１０６により郵便切手１２に消印が押印されたことを検出するための押印検出スイッチＳＷ１０が設けられており、押印検出スイッチＳＷ１０により消印が押印されたことが検出された場合だけ、無線タグライタ部１０８により使用情報が書き込まれる。押印検出スイッチＳＷ１０は、例えば、押印時にＯＮになるスイッチ、圧力センサ（接触センサ）等であり、消印押印部１０６の印面や、押印動作に伴い摺動（伸縮）する印面外周の枠体等に設けられる。
【００６８】
図１２は、印紙情報書込装置１００による処理の流れを示すフローチャートである。まず、郵便切手１２に消印が押印されたかどうか、押印検出スイッチＳＷ１０により検出する（ステップＳ３０）。押印検出スイッチＳＷ１０がＯＮになると（ステップＳ３２のＹｅｓ）、無線タグライタ部１０６によって郵便切手１２の無線タグ１６に使用済み（使用不可能）であることを示す使用情報が書き込まれる（ステップＳ３４）。
【００６９】
本実施形態の印紙情報書込装置１００によれば、郵便切手１２の使用情報の管理を容易にすることができる。
【００７０】
なお、本実施形態において、無線タグ１６は、所定の回数（例えば、作成時に額面等の情報を書き込むとき、及び消印時の２回）のみデータの書込を可能としてもよい。
【図面の簡単な説明】
【００７１】
【図１】本発明の一実施形態に係る印紙（郵便切手）の外観を示す平面図
【図２】画像が印刷された印紙（郵便切手）の外観を示す平面図
【図３】無線タグ１６の電気的構成を示すブロック図
【図４】アンテナ用コイルＬ１０の配置を示す
【図５】本発明の一実施形態に係る印紙作成装置の主要構成を示すブロック図
【図６】印紙作成装置５０をネットワークに接続した状態を示すブロック図
【図７】印紙作成装置５０により印紙を作成する処理の流れを示すフローチャート
【図８】無線タグ１６を備える郵便切手１２であるかどうかを判別可能とした例を示す図
【図９】作成履歴カードを示す図
【図１０】印紙情報書込装置の主要構成を示すブロック図
【図１１】消印が押印された郵便切手１２を示す図
【図１２】印紙情報書込装置１００による処理の流れを示すフローチャート
【符号の説明】
【００７２】
１０…切手シート、１２…郵便切手、１４…台紙、１６…無線タグ、５０…印紙作成装置、５２…制御装置、５４…操作部、５６…カメラ、５８…カメラ移動部、６０…照明装置、６２…記憶装置、６４…メモリスロット、６６…メモリ制御部、６８…画像表示部、７０…プリンタ、７２…無線タグリーダ／ライタ部、７４…コイン投入部、１００…印紙情報書込装置、１０２…ＣＰＵ、１０４…電源電池、１０６…消印押印部、１０８…無線タグライタ部、ＳＷ１０…押印検出スイッチ
【図１】
2007286265.tif 000003
【図２】
2007286265.tif 000004
【図３】
2007286265.tif 000005
【図４】
2007286265.tif 000006
【図５】
2007286265.tif 000007
【図６】
2007286265.tif 000008
【図７】
2007286265.tif 000009
【図８】
2007286265.tif 000010
【図９】
2007286265.tif 000011
【図１０】
2007286265.tif 000012
【図１１】
2007286265.tif 000013
【図１２】
2007286265.tif 000014